(57)【要約】【課題】変形によって拡張または縮小が可能であって、携帯性が改善され且つ安定した把持構造を持つ携帯端末用スタンドを提供する。【解決手段】本発明の携帯端末用スタンドは、端末または端末ケースに取り付けられるように形成される第１ボディと、一端は前記第１ボディに結合され、他端は前記第１ボディから離隔する方向である第１方向にテレスコピック接続形態で縮小されて延びる第１変形部と、一端は前記第１変形部の他端に結合され、他端は前記第１方向に向かってテレスコピック接続形態で拡張されて延びる第２変形部と、前記第２変形部の他端にプレート状に結合される第２ボディとを含み、前記第１及び第２変形部は、テレスコピック形態で前記第１方向に沿って拡張されるか或いは前記第１方向とは反対の方向である第２方向に向かって縮小されるように形成される。【選択図】図１
2020135850.tif 000002
【特許請求の範囲】
【請求項１】
端末または端末ケースに取り付けられるように形成される第１ボディと、
一端は前記第１ボディに結合され、他端は前記第１ボディから離隔する方向である第１方向にテレスコピック接続形態で縮小されて延びる第１変形部と、
一端は前記第１変形部の他端に結合され、他端は前記第１方向に向かってテレスコピック接続形態で拡張されて延びる第２変形部と、
前記第２変形部の他端にプレート状に結合される第２ボディと、
前記第１変形部と前記第２変形部との間に備えられ、前記第１及び第２変形部が収縮すると、互いに一部分が交差する前記第１ボディと前記第２ボディとの間に挿入されるように形成される連結部と、を含み、
前記第１及び第２変形部は、テレスコピック形態で前記第１方向に沿って拡張されるか或いは前記第１方向とは反対の方向である第２方向に向かって縮小されるように形成されることを特徴とする、スタンド。
【請求項２】
前記第１変形部と前記第２変形部との間で、一端は前記第１変形部の他端に回動可能に結合され、他端は前記第１方向に向かって延びて前記第２変形部に結合されるように形成される回動部をさらに含むことを特徴とする、請求項１に記載のスタンド。
【請求項３】
前記第２ボディは、
前記第２ボディの外側面を取り囲むように形成されて前記第２ボディに結合され、内側面に突起を有する結合部を含み、
前記第１ボディと前記第２ボディとが互いに交差すると、前記突起は、前記第１ボディの外側面に突出するスロットの前記第２方向側に配置され、前記第２ボディを回転させると、前記突起と前記スロットとが互いに密着して固定されることを特徴とする、請求項１に記載のスタンド。
【請求項４】
前記連結部に結合され、前記第１または第２ボディに向かって延びるように形成されるスプリングをさらに含むことを特徴とする、請求項１に記載のスタンド。
【請求項５】
一端は前記連結部の中央で前記第１または第２ボディ内のバッテリーに接続された無線モジュールが形成され、他端は前記第１方向に向かって延びて前記スプリングの内側面に密着するレバーが形成される制御部をさらに含むことを特徴とする、請求項４に記載のスタンド。
【請求項６】
前記回動部は、
多数の突起を備えたフレームと、前記フレームの内部で回動可能なボールスタッドとを含み、
前記ボールスタッドは、
回動時に前記突起に結合される多数の固定溝と、前記第１及び第２変形部の内部空間同士を連通させる連結通路と、前記第１変形部または第２変形部の伸長及び収縮時に外部空気と連通する排出通路とを含み、第２変形部の一側に外力が加わる場合、前記突起に結合される固定溝の結合配列によって前記第２変形部が第１変形部に対して所定の角度の屈折した姿勢に維持されることを特徴とする、請求項２に記載のスタンド。
【請求項７】
端末または端末ケースに取り付けられるように形成される第１ボディと、
一端は前記第１ボディに結合され、他端は前記第１ボディから離隔する方向である第１方向にテレスコピック接続形態で縮小されて延びる第１変形部と、
一端は前記第１変形部の他端に結合され、他端は前記第１方向に向かってテレスコピック接続形態で拡張されて延びる第２変形部と、
前記第２変形部の他端にプレート状に結合され、前記第１方向側に設けられるミラーを備える第２ボディとを含み、
前記第１及び第２変形部は、テレスコピック形態で前記第１方向に沿って拡張されるか或いは前記第１方向とは反対の方向である第２方向に向かって縮小されるように形成されることを特徴とする、スタンド。
【発明の詳細な説明】
【技術分野】
【０００１】
本発明は、スタンドに関し、より具体的には、携帯端末またはケースに取り付けられるスタンドに関する。
【背景技術】
【０００２】
本明細書で別に表示されない限り、本識別項目で説明される内容は、本出願の請求項に対する従来技術ではなく、本識別項目に記載されているという理由で従来技術であると認められるものではない。
【０００３】
一般に、スマートフォンを含む携帯端末は、アプリケーションを介しての様々な機能があり、映像視聴及びゲームプレイを含むさまざまなコンテンツを楽しむことができ、これを安定的に楽しむためには、安定的に端末を把持するか或いは据え置くことができるスタンドが必要である。
【０００４】
しかし、従来のスタンドは、端末または端末のケースに取り付けられると、体積及び重量が大幅に増加して携帯性の面で欠点があり、携帯性が向上すると、構造の制約により据え置き機能または把持機能が低下するという欠点があった。
【０００５】
したがって、端末を用いたコンテンツを便利に楽しむための据え置き構造及び携帯性を確保しつつ、指で簡単に把持することができ、角度調整によってさまざまな位置で映像視聴の没入度を増加させることができる技術が求められる。
【０００６】
これに関連して、特許文献１はスマートフォンスタンドを開示しており、特許文献２は車両用スマートフォンスタンドを開示している。
【０００７】
ところが、従来の発明は、携帯性及び据え置き機能を確保しつつ、安定的に把持することができる構造については開示していない。
【先行技術文献】
【特許文献】
【０００８】
【特許文献１】韓国公開特許第１０−２０１７−００８６９９６号公報
【特許文献２】韓国登録特許第１０−１５６２９２０号公報
【発明の概要】
【発明が解決しようとする課題】
【０００９】
本発明の目的は、変形によって拡張または縮小が可能であって、携帯性が改善され且つ安定した把持構造を持つ携帯端末用スタンドを提供することにある。
【００１０】
また、上述の技術的課題に限定されず、後述する説明内容から別の技術的課題が導き出される可能性があることは自明である。
【課題を解決するための手段】
【００１１】
本発明の一実施形態による携帯端末用スタンドは、端末または端末ケースに取り付けられるように形成される第１ボディと、一端は前記第１ボディに結合され、他端は前記第１ボディから離隔する方向である第１方向にテレスコピック接続形態で縮小されて延びる第１変形部と、一端は前記第１変形部の他端に結合され、他端は前記第１方向に向かってテレスコピック接続形態で拡張されて延びる第２変形部と、前記第２変形部の他端にプレート状に結合される第２ボディとを含み、前記第１及び第２変形部は、テレスコピック形態で前記第１方向に沿って拡張されるか、或いは前記第１方向とは反対の方向である第２方向に向かって縮小されるように形成される。
【００１２】
また、スタンドは、前記第１変形部と第２変形部との間で、一端は前記第１変形部の他端に回動可能に結合され、他端は前記第１方向に向かって延びて前記第２変形部に結合されるように形成される回動部をさらに含んでもよい。
【００１３】
また、スタンドは、前記第１変形部と前記第２変形部との間に備えられ、前記第１及び第２変形部が収縮すると、互いに一部分が交差する前記第１ボディと前記第２ボディとの間に挿入されるように形成される連結部をさらに含んでもよい。
【００１４】
また、前記第２ボディは、前記第２ボディの外側面を取り囲むように形成されて前記第２ボディに結合され、内側面に突起を有する結合部を含み、前記第１ボディと第２ボディとが互いに交差すると、前記突起は、前記第１ボディの外側面に突出するスロットの前記第２方向側に配置され、前記第２ボディを回転させると、前記突起とスロットとが互いに密着して固定できる。
【００１５】
また、スタンドは、前記連結部に結合され、前記第１または第２ボディに向かって延びるように形成されるスプリングをさらに含んでもよい。
【００１６】
また、スタンドは、一端は前記連結部の中央で前記第１または第２ボディ内のバッテリーに接続された無線モジュールが形成され、他端は前記第１方向に向かって延びて前記スプリングの内側面に密着するレバーが形成される制御部をさらに含んでもよい。
【００１７】
また、前記回動部は、多数の突起を備えたフレームと、前記フレームの内部で回動可能なボールスタッドとを含み、前記ボールスタッドは、回動時に前記突起に結合される多数の固定溝と、前記第１及び第２変形部の内部空間同士を連通させる連結通路と、前記第１変形部または第２変形部の伸長及び収縮時に外部空気と連通する排出通路とを含み、第２変形部の一側に外力が加わる場合、前記突起に結合される固定溝の結合配列によって前記第２変形部が第１変形部に対して所定の角度の屈折した姿勢に維持できる。
【００１８】
また、前記第２ボディは、前記第１方向側に設けられるミラーをさらに含んでもよい。
【発明の効果】
【００１９】
本明細書に開示された内容の一実施形態によれば、スタンドは、端末または端末ケースの背面に取り付けられて拡張または収縮可能に形成され、鼓状に延びて把持が便利であるという利点がある。
【００２０】
また、スタンドは、収縮または拡張のために必要なガスの通路が回動部に形成されて第１及び第２変形部の耐久性が改善され、回動部の回動位置が半球状の突起によって安定的に固定されるという利点がある。
【００２１】
併せて、このように記載された本発明の効果は、発明者が認知するか否かを問わず、記載された内容の構成によって当然発揮されるものなので、上述した効果は、記載された内容に基づく幾つかの効果であるだけで、発明者が把握または実在するすべての効果を記載したと認められてはならない。
【００２２】
また、本発明の効果は、明細書の全体的な記載によってさらに把握されるべきであり、たとえ明示的な文章で記載されていなくても、記載された内容の属する技術分野における通常の知識を有する者が本明細書を通じてそのような効果があると認めることができる効果であれば、本明細書に記載された効果と看做すべきである。
【図面の簡単な説明】
【００２３】
【図１】本発明の一実施形態によるスタンドの斜視図及び一側面図である。
【図２】図１のスタンドの分解斜視図である。
【図３】図１のスタンドをＩ−Ｉ’に沿って切断して示す断面図である。
【図４】図１のスタンドの他の状態をＩ−Ｉ’に沿って切断して示す断面図である。
【図５】本発明の他の実施形態によるスタンドの断面図である。
【図６】本発明のまた別の実施形態によるスタンドの斜視図である。
【図７】図６のスタンドをＩＩ−ＩＩ’に沿って切断して示す断面図である。
【図８】図６のスタンドのジョイスティック及びスプリングの分解斜視図である。
【図９】本明細書に開示された内容の別の実施形態によるスタンドの他の状態を示す斜視図である。
【発明を実施するための形態】
【００２４】
以下、図面を参照して好適な実施形態による再呼吸装置の構成、作動及び作用効果について説明する。但し、図面において、各構成要素は、便宜及び明確性のために省略されたり、概略的に示された模式的なものであり、各構成要素の寸法は、現実のものを反映したものではない。また、明細書の全般にかけて同一の符号は同一の構成要素を示しており、個別の図面での同一の構成要素に対する図面符号は適宜省略する。
【００２５】
図１は、本発明の一実施形態によるスタンドの斜視図及び一側面図である。図２は、図１のスタンドの分解斜視図である。図３は、図１のスタンドをＩ−Ｉ’に沿って切断して示す断面図である。図４は、図１のスタンドの他の状態をＩ−Ｉ’に沿って切断して示す断面図である。
【００２６】
図１乃至図４に示すように、スタンド１００は、第１ボディ２００、第１変形部３００、回動部４００、第２変形部５００及び第２ボディ６００を含む。
【００２７】
スタンド１００は、図１（ｂ）に示すように、一側面からみて鼓状の形状を有し、指で把持しやすい構造で形成され、第１及び第２変形部３００、５００のテレスコピック形態の縮小または拡張構造を介して使用しない場合に縮小させて携帯性を向上させることができる。
【００２８】
第１ボディ２００は、第２方向２０の一側の一部分が円形のプレート状をし、端末１０、端末のケース及び車両のダッシュボードを含むさまざまな取付面に取り付け可能に形成される。
【００２９】
第１ボディ２００の第２方向２０と反対の方向である第１方向１０側の他側の残り部分は、第１ボディ２００の一部分から第１方向１０に所定の距離だけ延び、全体的に厚さが薄い円筒状に形成される。
【００３０】
第１ボディ２００は、取付板２１０、カバー２２０、バッテリー２３０、リング部材２４０及び端子２５０を含む。
【００３１】
取付板２１０は、円形のプレート状をし、第２方向２０側に該当する表面には接着物質が形成されることで、前記取付面に対して接着または着脱可能に形成される。
【００３２】
カバー２２０は、取付板２１０よりも相対的に外径が小さい円形のプレート状をし、縁部の一部分が第１方向１０に向かって所定の距離だけ突出して第１方向１０に向かって円筒状の内部空間が開放される容器状に形成される。
【００３３】
バッテリー２３０は、カバー２２０の前記内部空間に挿入される円形のプレート状をし、第１変形部３００の内部から延びる電線を介して回動部４００と電気的に接続される。
【００３４】
リング部材２４０は、カバー２２０の外側面を取り囲むリング状をし、内側面がカバー２２０の外側面から所定の距離だけ離隔するように形成され、第２方向２０側の一側面は、取付板２１０の他側に結合される。
【００３５】
リング部材２４０の第１方向１０側の他側に該当する内側面の一部分は、リング部材２４０の中央に向かって所定の距離だけ延びてリング状の係止顎部を形成することにより、カバー２２０の外側面とリング部材２４０の内側面との間に形成される空間に挿入される第１変形部３００の一部を固定させる。
【００３６】
端子２５０は、リング部材２４０の外側面に形成され、第１変形部３００の内部から延びる電線を介して回動部４００と電気的に接続され、イヤホンまたはヘッドホンのプラグを挿入させることができる。
【００３７】
第１変形部３００は、一端が第１ボディ２００の他側に着脱可能に結合され、他端は第１方向１０に向かってテレスコピック接続形態で縮小されて延びるように形成される。
【００３８】
第１変形部３００は、一端部３１０、傾斜部３２０、中間部３３０及び傾斜部３４０を含む。
【００３９】
一端部３１０は、カバー２２０の外側面とリング部材２４０の内側面との間に形成される空間に挿入されるリング状をし、外側面及び内側面のそれぞれは、リング部材２４０の内側面及びカバー２２０の外側面のそれぞれに密着して固定される。
【００４０】
傾斜部３２０の第２方向２０側の一端の一部分は一端部３１０に連結されるリング状に形成され、傾斜部３２０の他端は第１方向１０に向かって外側面が曲面を形成しながら縮小されるように延びて中間部３３０の一端に結合される。
【００４１】
傾斜部３２０は、弾性及び変形度の高い高分子材質で形成され、第２方向２０に移動しながら変形して一部分はバッテリー２３０に密着することができる。
【００４２】
中間部３３０は、傾斜部３２０の他端の第１方向１０側の表面と結合されるリング状をし、傾斜部３２０、３４０の間に形成され、第１変形部３００が第１方向１０に拡張された状態で形状を維持するフレーム機能をする。
【００４３】
傾斜部３４０の一端は、中間部３３０の第１方向１０側の表面と結合されるリング状に形成され、傾斜部３４０の他端は、第１方向１０に向かって外側面が曲面を形成しながら縮小されるように延びて回動部４００の一端に着脱可能に結合される。
【００４４】
したがって、第１ボディ２００の他側から傾斜部３４０の他端の中央までは、一端部３１０、傾斜部３２０、中間部３３０及び傾斜部３４０が取り囲む変形空間が形成され、中間部３３０及び回動部４００が第２方向２０に移動すると、傾斜部３２０、３４０のそれぞれは、折り曲げられながら第２方向２０に移動してバッテリー２３０に密着する。
【００４５】
回動部４００は、フレーム４１０、モジュール４２０、ボールスタッド４３０（Ｂａｌｌ  ｓｔｕｄ）及びローラ４４０、４５０を含む。
【００４６】
回動部４００の一端は、傾斜部３４０の他端の中央を貫通して前記変形空間に一部分が挿入された状態で傾斜部３４０と接着物質を介して着脱可能に結合され、回動部４００の他端は、一端から第１方向１０に向かって延びて第２変形部５００に結合される。
【００４７】
回動部４００の他端は、一端を軸としてボールジョイント形態で回動可能に形成されて第２変形部５００に結合され、第２変形部５００は、回動部４００を軸として様々な方向に位置を変更させることができる。
【００４８】
回動部４００は、バッテリー２３０と電気的に接続され、内部モジュールの無線接続機能を用いて隣接の端末１０と無線で接続可能であり、回動部４００の他端の回動入力を端末１０に伝達してジョイスティックまたはマウスとして活用することができる。
【００４９】
また、回動部４００は、無線で端末１０に接続された状態で端子２５０と電気的に接続され、ユーザは、端子２５０に挿入されたプラグを介して映像または音楽の再生が可能である。
【００５０】
具体的に、フレーム４１０は、一端が第２方向２０側に向かって円形のプレート状に形成され、フレーム４１０の他端は一端から第１方向１０側へ円筒状に所定の距離だけ延び、外観はシリンダ形状に形成される。
【００５１】
フレーム４１０の第１方向１０側の内部には、ボールスタッド４３０の一部分が回動可能に密着する円形の回動空間が形成され、前記回動空間の一部は、第１方向１０に向かって開放されてボールスタッド４３０の一部分が第１方向１０に向かって配置される。
【００５２】
フレーム４１０の外側面は傾斜部３４０の他端に着脱可能に結合され、フレーム４１０が第２方向２０側に移動すると、傾斜部３２０、中間部３３０及び傾斜部３４０が第２方向２０に向かって移動及び収縮して、傾斜部３２０、中間部３３０及び傾斜部３４０はリング部材２４０よりも第２方向２０側に配置される。
【００５３】
モジュール４２０は、フレーム４１０の内部に形成され、端末１０と無線で接続可能であり、バッテリー２３０及び端子２５０に接続されて無線で送信されるオーディオまたはデータを端子２５０を介してイヤホンまたは他の端末に伝送させることができる。
【００５４】
したがって、ユーザは、プラグを端末１０の外側面の端子に挿入することなく、スタンド１００の端子２５０に挿入することができるので、端末１０をスタンド１００を介して据え置いた状態でプラグがユーザの視野に露出されないという利点がある。
【００５５】
また、スタンド１００は、第１及び第２変形部３００、５００を介してイヤホンのケーブルを巻き取ることができる面積が増加して、イヤホンケーブルの巻取りによるイヤホン保管が容易であり、イヤホンのプラグが端子２５０に挿入された状態で保管が可能なので、イヤホンを使用しない状態で、プラグが端末１０の据え置き方向を制限することが防止されるという利点がある。
【００５６】
ボールスタッド４３０の一端は、ボール状に形成されて一部がフレーム４１０の前記回動空間に挿入され、ボールスタッド４３０の他端は、一端の一部分が円筒形であって第１方向１０に向かって所定の距離だけ延びて第２変形部５００に結合される。
【００５７】
したがって、端末１０、第１ボディ２００及び第１変形部３００は、フレーム４１０に結合された状態でボールスタッド４３０の一端を軸として様々な方向にボールジョイントのように回動が可能であり、逆に、第２変形部５００及び第２ボディ６００は、ボールスタッド４３０の一端を軸として様々な方向にボールジョイントのように回動が可能である。
【００５８】
ローラ４４０は、フレーム４１０の内部で第２方向２０側に配置されてボールスタッド４３０の一端の一部分と密着し、第１または第２方向１０、２０に対して垂直な前方及び後方に向かって延びるように形成され、ボールスタッド４３０の回動によって回転すると、回転信号をモジュール４２０に伝送する。
【００５９】
ローラ４５０は、フレーム４１０の内部で下部に配置されてボールスタッド４３０の一端の下部部分と密着し、第１または第２方向１０、２０に長く延びるように形成され、ボールスタッド４３０の回動によって回転すると、回転信号をモジュール４２０に伝送する。
【００６０】
したがって、ユーザが第２変形部５００または第２ボディ６００をボールスタッド４３０の一端を軸として上部または下部に向かって移動させると、ローラ４４０が回転しながら端末１０の画面に駆動されて表示される画面が上部または下部に向かって移動するか、或いは端末１０のディスプレイをタッチしながら上部または下部に向かって移動する駆動が端末１０で作動することができる。
【００６１】
また、ユーザが第２変形部５００または第２ボディ６００をボールスタッド４３０の一端を軸として前方または後方に向かって移動させると、ローラ４５０が回転しながら端末１０の画面に駆動されて表示される画面が前方または後方に向かって移動するか、或いは端末１０のディスプレイをタッチしながら前方または後方に向かって移動する駆動が端末１０で作動することができる。
【００６２】
第２変形部５００の一端は、回動部４００の他端に結合され、第２変形部５００の他端は、第１方向１０に向かってテレスコピック接続形態で拡張されて延びて第２ボディ６００の一端に結合される。
【００６３】
第２変形部５００は、第２ボディ６００を第２方向２０に移動させると、テレスコピック形態で縮小され、さらに第２ボディ６００を第１方向１０に移動させると、テレスコピック形態で拡張されて延びる。
【００６４】
第２変形部５００が第１方向１０に拡張された状態での長さは、第１変形部３００が第１方向１０に向かって拡張された長さよりも相対的に長いか同じであり、第２ボディ６００がさまざまな位置の表面に取り付けられた状態で端末１０が回動部４００を介して回動することができる空間を提供する。
【００６５】
第２変形部５００は、一端部５１０、傾斜部５２０、中間部５３０、傾斜部５４０、中央部５５０、傾斜部５６０、他端部５７０を含む。
【００６６】
一端部５１０は、円形のリング状に形成され、内側面の一部分はボールスタッド４３０の他端に結合され、第１方向１０側の一部分は傾斜部５２０の一端に結合されて傾斜部５２０の形態を維持させる。
【００６７】
傾斜部５２０の第２方向２０側の一端は、一端部５１０の第１方向１０側の側面に結合され、 傾斜部５２０の他端は、曲面の斜面を形成しながら第１方向１０に向かって所定の距離だけ延びて内部の空間が第１方向１０に向かって開放されるように形成される。
【００６８】
中間部５３０は、一端部５１０よりも相対的に外径が大きい円形のリング状に形成され、第２方向２０側の一側面は傾斜部５２０の他端に結合され、第１方向１０側の他側面は傾斜部５４０の一端に結合される。
【００６９】
傾斜部５４０の第２方向２０側の一端は、中間部５３０の他側面に結合され、傾斜部５４０の他端は、曲面の斜面を形成しながら第１方向１０に向かって所定の距離だけ延びて内部の空間が第１方向１０に向かって開放されるように形成される。
【００７０】
傾斜部５２０、５４０の内部の空間は、中間部５３０を介して互いに連結されるように形成され、変形が容易な高分子材質で出来ている。
【００７１】
中央部５５０は、中間部５３０よりも相対的に外径が大きい円形のリング状に形成され、第２方向２０側の一側面は傾斜部５４０の他端に結合され、第１方向１０側の他側面は傾斜部５６０の一端に結合される。
【００７２】
傾斜部５６０の第２方向２０側の一端は、中央部５５０の他側面に結合され、傾斜部５６０の他端は、曲面の斜面を形成しながら第１方向１０に向かって所定の距離だけ延びて内部の空間が第１方向１０に向かって開放されるように形成される。
【００７３】
他端部５７０は、中央部５５０よりも相対的に外径が大きい円形のリング状に形成され、第２方向２０側の一側面は傾斜部５６０の他端に結合され、第１方向１０側の他側面は第２ボディ６００に密着する。
【００７４】
したがって、第２変形部５００の内部の変形空間は、一端部５１０、傾斜部５２０、中間部５３０、傾斜部５４０、中央部５５０、傾斜部５６０及び他端部５７０の内部で第１及び第２方向１０、２０に向かって開放されるように形成される。
【００７５】
また、第２変形部５００は、第２ボディ６００を第２方向２０に移動させると、中間部５３０、中央部５５０及び他端部５７０が一端部５１０と同じ垂直線上に配置され、傾斜部５２０、５４０、５６０のそれぞれの一端及び他端の一部分は第２ボディ６００に密着し、傾斜部５２０、５４０、５６０のそれぞれの一端と他端との間に該当する部分は折り曲げられる。
【００７６】
第２ボディ６００は、取付板６１０、カバー６２０、バッテリー６３０、リング部材６４０及び結合部６５０を含む。
【００７７】
第２ボディ６００の第２方向２０側の一側部分は、第２変形部５００の他端に密着して結合され、第２変形部５００内の第１方向１０に向かって開放された変形空間をカバーする。
【００７８】
第２ボディ６００の第１方向１０側の他側部分は、一側から第１方向１０に向かって円筒状に延び、他側面には、ミラー、または据え置きのために回動可能なスタンドが設けられ得る。
【００７９】
具体的に、取付板６１０は、取付板２１０よりも相対的に広い円形のプレート状をし、第１方向１０側の表面には、車両のダッシュボードまたは机の上に付着させることができる接着物質またはミラーが形成できる。
【００８０】
カバー６２０は、取付板６１０より相対的に小さい円形のプレート状をし、縁部の一部分は、第２方向２０に向かって延び、内部空間が第２方向２０に向かって開放される容器状に形成される。
【００８１】
カバー６２０は、回動部４００を挟んでカバー２２０と対称な形状に形成され、カバー２２０、６２０は、同じ構造及びサイズに形成されるので、製作利便性が高い。
【００８２】
バッテリー６３０は、円形のプレート状をし、バッテリー２３０と同じ形状及びサイズであり、カバー６２０の第２方向２０側に配置され、カバー６２０の内部空間に挿入されて回動部４００と電気的に接続される。
【００８３】
リング部材６４０は、カバー６２０の外側面を取り囲むリング状をし、リング部材６４０の内側面はカバー６２０の外側面から所定の距離だけ離隔するように形成され、第１方向１０側の表面は取付板６１０の第２方向２０側の表面に密着して結合される。
【００８４】
リング部材６４０の第２方向２０側の一側に該当する内側面の一部分は、リング部材６４０の中央に向かって所定の距離だけ延びてリング状の係止顎部を形成する。カバー６２０の外側面とリング部材６４０の内側面との間に形成される空間に他端部５７０が挿入及び固定される。
【００８５】
結合部６５０は、リング部材６４０を取り囲む環状をし、結合部６５０の内側面はリング部材６４０の外側面から所定の距離だけ離隔するように形成され、第１方向１０側の表面は取付板６１０の第２方向２０側の一側面の縁部と面結合される。
【００８６】
結合部６５０の第１方向１０側に該当する内側面の一部分は、取付板６１０に密着した状態でリング部材６４０に向かって延びて連結部材が形成され、前記連結部材は、リング部材６４０の外側面に密着してリング部材６４０と結合される。
【００８７】
したがって、結合部６５０の内側面とリング部材６４０の外側面との間には、第２方向２０に向かって開放された挿入空間が形成され、結合部６５０は、前記連結部材を除いた残りの部分が第２方向２０にさらに延び、第１及び第２変形部３００、５００が収縮された状態で回動部４００を外側からカバーすることができる。
【００８８】
図５は本明細書に開示された内容の他の実施形態によるスタンドの断面図を示す。
【００８９】
本実施形態によるスタンド１１０は、回動部９００を除けば、図１乃至図４に示されたスタンド１００と同様であるので、同一の参照番号と名称を使用し、重複説明は省略する。
【００９０】
図５に示すように、スタンド１１０は回動部９００を含む。
【００９１】
スタンド１１０は、回動部９００の回動によって第１変形部３００と第２変形部５００との間の角度が変更されると、第１及び第２変形部３００、５００間の角度を維持させながら、取付板２１０に取り付けられたスマートフォン、またはスマートフォンが結合されたケースを安定的に支持する。
【００９２】
回動部９００はフレーム９１０及びボールスタッド９２０を含み、フレーム９１０は突起９２２を含む。
【００９３】
回動部９００は、一端が第１変形部３００の他端に回動可能に結合され、他端は第１方向１０に向かって延びて第２変形部５００と回動可能に結合され、内部には、第１及び第２変形部３００、５００のそれぞれの内部に該当する変形空間を連結し且つ第１及び第２変形部３００、５００のそれぞれの内部のガスを外部へ排出する通路が設けられる。
【００９４】
したがって、第１及び第２変形部３００、５００のそれぞれが収縮または拡張される過程で、ガスは、前記通路を介して第１及び第２変形部３００、５００の外部へ排出されるか或いは第１及び第２変形部３００、５００内の変形空間に流入する。
【００９５】
具体的に、フレーム９１０の一端は、第１変形部３００の内部に挿入され、フレーム９１０の他端は、円筒状に第１方向１０に向かって延び、フレーム９１０の他端面には、第２方向２０に向かって半円状に陥没した回動空間３が形成されてボールスタッド９２０の一端が挿入される。
【００９６】
フレーム９１０の一端面の中央には、フレーム９１０の第２方向２０側の空間とフレーム９１０の第１方向１０側の空間とを互いに連結する第１通孔２が設けられ、回動部９００が第２方向２０側へ移動して第１変形部３００が収縮すると、第１変形部３００内のガスは、第１通孔２を介してフレーム９１０の第１方向１０側に位置した前記回動空間３へ移動する。
【００９７】
フレーム９１０の外側面には、傾斜部３４０の他端が着脱可能に結合され、ボールスタッド９２０の一端は、前記回動空間３に挿入されてフレーム９１０と回動可能に結合される。
【００９８】
ボールスタッド９２０の一端は、円形のボールの第２方向２０側の一部分が第１方向１０に向かって半球状に陥没した形状に形成され、ボールスタッド９２０の他端は、一端の中央から第１方向１０に向かって円柱状に延びて一端部５１０と結合される。
【００９９】
ボールスタッド９２０の一端の内部には、一端の中央から第１方向１０に向かってボールスタッド９２０の一端を貫通して延びる連結通路６が設けられ、ボールスタッド９２０の他端の内部には、連結通路６に連結されて第１方向１０に向かって延び、第１方向１０側に位置した第２変形部５００の内部空間に開放される第２通孔７が設けられる。
【０１００】
第１通孔２、回動空間３、連結通路６及び第２通孔７は互いに連結され、第１変形部３００及び第２変形部５００の変形空間は第１通孔２、回動空間３、連結通路６及び第２通孔７を介して互いに連結される。
【０１０１】
排出通路４の一端は、連結通路６に該当する空間のボールスタッド９２０の下部内側面から第１方向１０及び下部に向かって傾くように延びて外部の空間と連結通路６とを連結するように形成される。
【０１０２】
排出通路５の一端は、連結通路６に該当する空間のボールスタッド９２０の上部内側面から第１方向１０及び上部に向かって傾くように延びて外部の空間と連結通路６とを連結するように形成される。
【０１０３】
第１変形部３００が第２方向２０に向かって収縮する過程で、第１変形部３００内の変形空間に存在するガスは、第１通孔２、回動空間３、連結通路６及び排出通路４、５を介して外部に排出される。
【０１０４】
また、第１変形部３００が第１方向１０に向かって拡張される過程で、第１変形部３００内の変形空間には、第１通孔２、回動空間３、連結通路６及び排出通路４、５を介して外部から流入したガスが流入する。
【０１０５】
また、第２変形部５００が第２方向２０に向かって収縮する過程で、第２変形部５００内の変形空間に存在するガスは、第２通孔７、連結通路６及び排出通路４、５を介して外部に排出される。
【０１０６】
また、第２変形部５００が第１方向１０に向かって拡張される過程で、第２変形部５００内の変形空間には、第２通孔７、連結通路６及び排出通路４、５を介して外部から流入したガスが第２変形部５００内の変形空間に流入する。
【０１０７】
したがって、スタンド１１０は、第１及び第２通孔２、７、回動空間３、連結通路６及び排出通路４、５を介して第１または第２変形部３００、５００の収縮または拡張が容易であり、第１及び第２変形部３００、５００のそれぞれにガスの流出入のための穴を形成する必要がないため、第１及び第２変形部３００、５００のそれぞれの耐久性が改善されるという利点がある。
【０１０８】
突起９２２のそれぞれは、フレーム９１０の他端の回動空間３に該当する内側面からフレーム９１０の他端の中央を向くように半球状に突出し、フレーム９１０の他端の回動空間３に該当する内側面の縁部を取り囲むように形成される。
【０１０９】
ボールスタッド９２０の一端の外側面には、突起９２２のそれぞれが挿入されるように半球状の固定溝が形成され、ボールスタッド９２０の一端の回動により、突起９２２のそれぞれが挿入される前記固定溝の位置が変更されながら、ボールスタッド９２０の回動後の位置が固定される。
【０１１０】
したがって、スタンド１１０は、フレーム９１０の内側面に形勢された突起９２２を介してボールスタッド９２０が回動した後、ボールスタッド９２０の位置を固定させ、第１または第２変形部３００、５００に取り付けられる端末または端末用ケースの位置を安定的に維持するという利点がある。
【０１１１】
図６は本明細書に開示された内容の別の実施形態によるスタンドの斜視図である。図７は図６のスタンドをＩＩ−ＩＩ’に沿って切断して示す断面図である。図８は図６のスタンドのジョイスティック及びスプリングの分解斜視図である。
【０１１２】
本実施形態によるスタンド１２０は、第２変形部５０５の一端部５１０が除外され、第１ボディ２０５のリング部材２４０に設けられたスロット２４５ａ、２４５ｂ、第２ボディ６０５の結合部６５０に設けられた突起６５５ａ、６５５ｂ、連結部７００、制御部８００及びスプリング８２０が追加されることを除けば、図１乃至図４に示されたスタンド１００と同様であるので、同一の参照番号と名称を使用し、重複説明は省略する。
【０１１３】
図６乃至図８に示すように、スタンド１２０は、第１ボディ２０５、第１変形部３００、第２変形部５０５、第２ボディ６０５、連結部７００、制御部８００及びスプリング８２０を含む。
【０１１４】
スタンド１２０は、第１方向１０に向かって拡張された状態では一側面が鼓状に形成されて指で安定的に把持することができ、第２方向２０に向かって縮小された状態では両端が互いに密着して携帯性が極大化されるという利点がある。
【０１１５】
スタンド１２０は、第１ボディ２０５、第２変形部５０５、第２ボディ６０５及び連結部７００を含む。
【０１１６】
第１ボディ２０５はスロット２４５ａ、２４５ｂをさらに含み、第２ボディ６０５は突起６５５ａ、６５５ｂをさらに含む。
【０１１７】
スロット２４５ａ、２４５ｂのそれぞれは、一端は相対的に第１方向１０側に該当するリング部材２４０の後方及び前方の外側面の一部分にそれぞれ結合され、他端はそれぞれが後方及び前方に向かって延びることにより、直方体状に形成される。
【０１１８】
突起６５５ａ、６５５ｂのそれぞれは、一端は相対的に第２方向２０側に該当する結合部６５０の内側面の後方及び前方の内側面の一部分にそれぞれ結合され、他端はそれぞれが前方及び後方に向かって所定の距離だけ延びることにより、直方体状に形成される。
【０１１９】
突起６５５ａは、スロット２４５ａよりも相対的に低い水平線上に設けられる。第２ボディ６０５が第２方向２０に移動し、第１及び第２変形部３００、５０５が第２方向２０に向かって収縮した状態でスロット２４５ａの下部を通ってスロット２４５ａの第２方向２０側に配置される。
【０１２０】
この時、ユーザが第２ボディ６０５を第２方向２０の延長線上を基準に時計回りに所定の距離だけ回転させると、突起６５５ａがスロット２４５ａを通ってスロット２４５ａよりも第２方向２０に向かって位置した状態で上昇してスロット２４５ａと同じ水平線上に位置することにより、突起６５５ａとスロット２４５ａとが互いに密着する。
【０１２１】
突起６５５ｂは、スロット２４５ｂよりも相対的に高い水平線上に設けられる。突起６５５ｂは、第２ボディ６０５が第２方向２０に移動し、第１及び第２変形部３００、５０５が第２方向２０側に収縮した状態でスロット２４５ｂの上部を通ってスロット２４５ｂの第２方向２０側に配置される。
【０１２２】
この時、ユーザが第２ボディ６０５を第２方向２０の延長線上を基準に時計回りに所定の距離だけ回転させると、突起６５５ｂがスロット２４５ｂを通ってスロット２４５ｂよりも第２方向２０に向かって位置した状態で下降してスロット２４５ｂと同じ水平線上に位置することにより、突起６５５ｂとスロット２４５ｂとが互いに密着する。
【０１２３】
したがって、第１ボディ２０５及び第２ボディ６０５は、第１及び第２変形部３００、５０５が第１方向１０に向かって収縮した状態で互いに隣接した位置に配置され、回転により突起６５５ａ、６５５ｂのそれぞれがスロット２４５ａ、２４５ｂにそれぞれ密着して結合されながら、第１及び第２変形部３００、５０５が収縮した状態を維持させる。
【０１２４】
連結部７００は、円形のリング状をし、第２方向２０側の一側面は傾斜部３４０の他端に結合され、中央の貫通孔には制御部８００が配置されて連結部７００の内側面に結合される。
【０１２５】
連結部７００の第１方向１０側の他側面は、傾斜部５２０の一端に結合され、傾斜部５２０の一端の内側では、スプリング８２０の一端が連結部７００の他側面の一部分に結合され、スプリング８２０の他端は傾斜部５２０、中間部５３０及び傾斜部５４０を通って中央部５５０まで延びるように形成される。
【０１２６】
よって、第２ボディ６０５が第２方向２０に沿って移動して、突起６５５ａ、６５５ｂ及びスロット２４５ａ、２４５ｂを介して第１ボディ２００と結合された状態でスプリング８２０の他端はバッテリー６３０を圧迫して第２ボディ６０５を第１方向１０に向かって移動させるように弾性圧迫する。
【０１２７】
したがって、ユーザは、第１及び第２ボディ２００、６０５が互いに結合された状態で、第２ボディ６０５を第２方向２０の延長線上を軸として反時計回りに回転させると、突起６５５ａ、６５５ｂとスロット２４５ａ、２４５ｂとが互いに分離され、スプリング８２０の弾性で第２変形部５０５が第１方向１０に向かって一部拡張されるので、ユーザは、簡単に第２ボディ６０５を掴んで第１及び第２変形部３００、５０５を拡張させることができる。
【０１２８】
制御部８００は、一端は直方体状をして連結部７００の貫通ホールで連結部７００と結合され、他端はスプリング８２０の内側から第１方向１０に向かって所定の距離だけ延びてスプリング８２０の内側面と密着するように形成される。
【０１２９】
制御部８００の一端には、端末１０に接続されるように無線接続モジュール及びジョイスティックモジュールが形成され、電線を介して端子２４０及びバッテリー２３０、６３０に接続され、制御部８００の他端に設けられたレバー８１０の回動を介して端末１０の画面の制御が可能である。
【０１３０】
また、レバー８１０がスプリング８２０に密着し、スプリング８２０は、第２ボディ６０５及び第２変形部５０５の上部、下部、前方または後方に向かって曲げと共に変形するので、ユーザは、第２ボディ６０５または第２変形部５０５を指で簡単に操作して端末１０を制御することができる。
【０１３１】
一方、スプリング８２０は、一端が連結部７００の第２方向２０側に結合され、他端は第２方向２０に向かって所定の距離だけ延びるように配置できる。
【０１３２】
図９は本明細書に開示された内容の別の実施形態によるスタンドの他の状態を示す斜視図である。
【０１３３】
本実施形態によるスタンド１３０は、第２ボディ６０１の取付板６１１、スピーカー６１２、パッキン６１３、突起６１４、ミラー６１５、溝６１７、挿入溝６１８及び結合部６５１を除けば、図１乃至図４に示されたスタンド１００と同一であるので、同一の参照番号と名称を使用し、重複説明は省略する。
【０１３４】
図９を参照すると、スタンド１３０は第２ボディ６０１を含む。
【０１３５】
第２ボディ６０１は、取付板６１１、スピーカー６１２、パッキン６１３、突起６１４、ミラー６１５、溝６１７、挿入溝６１８及び結合部６５１を含む。
【０１３６】
第２ボディ６０１の結合部６５１は、図１乃至図４の結合部６５０に比べて第１方向１０に向かって長く延びるように製作され、上端の一部分が平面状に形成され、上端の一部分は取付板６１１の一端に該当する上端に連結される。
【０１３７】
結合部６５１の内部には挿入溝６１８が設けられ、結合部６５１の内側面から所定の距離だけ内側の中央に向かって環形のプレート状に内側面の一部分が延びて、中央部にミラー６１５が挿入できるミラー挿入空間が形成される。
【０１３８】
結合部６５１及び取付板６１１の一端は、弾性変形が可能なシリコーンまたは高分子材質で形成され、取付板６１１の一端を軸として取付板６１１の他端を上部に向かって移動させるか或いは下部を向かって移動させることにより、結合部６５１の内部に設けられた挿入溝６１８をカバーすることができる。
【０１３９】
取付板６１１は、一端は結合部６５１の上端面と平面をなすように結合部６５１の上端に結合され、他端は結合部６５１の内側に設けられた挿入溝６１８に挿入されて結合部６５１の内側をカバーするように円形のプレート状に形成される。
【０１４０】
スピーカー６１２は、取付板６１１が挿入溝６１８に挿入された状態で取付板６１１の第２方向２０側の表面中央に結合され、取付板６１１の一端を軸として他端を上部に向かって移動させると、スピーカー６１２は、第１方向１０に向かって開放される。
【０１４１】
スピーカー６１２は、回動部４００内のモジュール４２０及びバッテリー２３０、６３０に接続され、モジュール４２０及び端子２５０を介して無線または有線で入力されたオーディオ信号を出力する。
【０１４２】
パッキン６１３は、取付板６１１が挿入溝６１８に挿入された状態で取付板６１１の第２方向２０側の表面でスピーカー６１２を取り囲む環状に形成され、パッキン６１３の外側面は、取付板６１１が挿入溝６１８に挿入された状態でミラー６１５の第１方向１０側に密着して前記ミラー挿入空間で結合部６５１の内側面と密着してミラー６１５を安定的に固定させる。
【０１４３】
ミラー６１５は、円形のプレート状をし、前記ミラー挿入空間に挿入されて外側面が結合部６５１の内側面と密着し、第１方向１０に向かってミラー面が形成されることにより、ユーザが取付板６１１を開放してミラー６１５を使用することができる。
【０１４４】
突起６１４は、取付板６１１の他端が上部に向かって移動して挿入溝６１８が開放された状態で、取付板６１１の上部に形成され、取付板６１１の他端が一端を軸として下降し、挿入溝６１８に挿入された後、突起６１４を溝６１７に挿入させて取付板６１１を安定的に結合部６５１に固定させることができる。
【０１４５】
以上、添付図面を参照して本発明の好適な実施形態について説明したが、本明細書に記載された実施形態と図面に示された構成は、本発明の最も好ましい実施形態に過ぎないもので、本発明の技術的思想をすべて代弁するものではないので、本出願時点においてこれらを代替することができる様々な均等物と変形例がありうることを理解すべきである。したがって、上述した実施形態は、あらゆる面で例示的なもので、限定的なものではないと理解されるべきであり、本発明の範囲は、詳細な説明よりは後述する特許請求の範囲によって示され、特許請求の範囲の意味及び範囲、並びにその等価概念から導き出されるすべての変更または変形形態も本発明の範囲に含まれるものと解釈されるべきである。
【符号の説明】
【０１４６】
１００、１１０、１２０、１３０    スタンド
２００、２０５    第１ボディ
３００    第１変形部
４００、９００    回動部
５００    第２変形部
６００、６０５    第２ボディ
７００    連結部
８００    制御部
【図１】
2020135850.tif 000003
【図２】
2020135850.tif 000004
【図３】
2020135850.tif 000005
【図４】
2020135850.tif 000006
【図５】
2020135850.tif 000007
【図６】
2020135850.tif 000008
【図７】
2020135850.tif 000009
【図８】
2020135850.tif 000010
【図９】
2020135850.tif 000011